(57)【要約】【課題】上記従来の映像記録装置は、自身が搭載しているチューナ数以上の映像ストリームを記録することができず、またハードウェア構造であるチューナ数に比例してその装置構造も大型化してしまう、という課題がある。【解決手段】以上課題の解決ため、本発明は、家庭内で例えばテレビ装置と映像記録装置とを接続し、映像記録装置に内蔵のチューナと、そのチューナに対応した記録制御系に加え、接続されたテレビ装置など外部の電子機器のチューナで受信した映像ストリームを取得する外部取得部と、その外部取得部に対応した小型のチップなどで実現可能な記録制御系とをさらに有する映像記録装置を提供する。これにより、映像を取得する端子部などとチップとで実現可能な記録制御系を追加するだけで映像ストリームを他の電子機器で受信させ同時記録することが可能になる。【選択図】図２
2007129334.tif 000002
【特許請求の範囲】
【請求項１】
映像ストリーム情報を内部取得するチューナを含む内部取得部と、
外部の電子機器から映像ストリーム情報を取得する外部取得部と、
内部取得部にて取得される全ての映像ストリーム情報と、外部取得部にて取得する全ての映像ストリーム情報とを同時記録できる記録部と、
を有する映像記録装置。
【請求項２】
録画予約部と、
録画予約時間が重複して予約番組の一部を内部取得不能か判断する判断部と、
判断部での判断結果が内部取得不能との判断結果である場合に、外部取得部と接続されている他の電子機器から該当する予約番組の映像ストリーム情報を取得可能か検査する検査部と、
検査部での検査結果が取得可能との検査結果である場合に他の電子機器に対して録画予約実行のための制御信号を出力する外部機器制御信号出力部と、
を有する請求項１に記載の映像記録装置。
【請求項３】
内部取得部にて取得した映像ストリーム情報を外部出力する外部出力部をさらに有する請求項１又は２に記載の映像記録装置。
【請求項４】
請求項３に記載の映像記録装置と、テレビ装置とからなるＡＶシステムであって、
テレビ装置は、
映像記録装置の外部出力部から出力される映像ストリーム情報を取得して表示するための映像表示部と、
テレビチューナと、
テレビチューナにて取得した映像ストリーム情報を映像記録装置の外部取得部に対して出力するテレビ出力部と、
映像記録装置の外部機器制御信号出力部から出力される制御信号を取得して映像ストリーム情報に関する制御を実行する制御部と、
を有するＡＶシステム。
【請求項５】
前記外部との映像ストリーム情報及び場合により制御信号の入出力をするためのＨＤＭＩ（登録商標）端子部を有する請求項１から３に記載の映像記録装置。
【請求項６】
前記ＨＤＭＩ（登録商標）端子部は、映像ストリーム情報の入出力のために二組以上のＨＤＭＩ（登録商標）端子を含む請求項５に記載の映像記録装置。
【請求項７】
ＨＤＭＩ（登録商標）端子を二組以上有する電子機器。
【請求項８】
映像記録装置のチューナにて映像ストリーム情報を内部取得する内部取得ステップと、
外部の電子機器から映像ストリーム情報を取得する外部取得ステップと、
内部取得ステップにて取得される全ての映像ストリーム情報と、外部取得ステップにて取得する全ての映像ストリーム情報とを同時記録できる記録手段によって記録媒体に記録する記録ステップと、
を計算機に実行させる映像記録方法。
【請求項９】
録画予約時間を含む録画予約情報を取得する録画予約ステップと、
前記録画予約時間が重複して予約番組の一部を内部取得不能か判断する判断ステップと、
判断ステップでの判断結果が内部取得不能との判断結果である場合に、映像記録装置と接続されている他の電子機器から該当する予約番組の映像ストリーム情報を取得可能か検査する検査ステップと、
検査ステップでの検査結果が取得可能との検査結果である場合に、他の電子機器に対して録画予約実行のための制御信号を出力する外部機器制御信号出力ステップと、
映像記録装置のチューナにて前記録画予約された映像ストリーム情報を内部取得する内部取得ステップと、
前記出力された外部機器制御信号に基づいて外部の電子機器にて取得された映像ストリーム情報を取得する外部取得ステップと、
内部取得ステップにて取得される全ての映像ストリーム情報と、外部取得ステップにて取得する全ての映像ストリーム情報とを同時記録できる記録手段によって記録媒体に記録する記録ステップと、
を計算機に実行させる映像記録方法。
【請求項１０】
映像記録装置のチューナにて映像ストリーム情報を内部取得する内部取得ステップと、
外部のテレビ装置に対して重複番組の映像ストリーム情報取得のための制御信号を出力する外部機器制御信号出力ステップと、
内部取得ステップにて取得した映像ストリーム情報を外部のテレビ装置に対して出力する外部出力ステップと、
外部出力ステップにて映像記録装置から出力される映像ストリーム情報を、外部のテレビ装置にて取得して表示する取得表示ステップと、
前記外部機器制御信号に基づいて、テレビ装置のテレビチューナにて取得した映像ストリーム情報を映像記録装置に対して出力するテレビ出力ステップと、
前記テレビ出力された外部のテレビ装置から映像ストリーム情報を取得する外部取得ステップと、
内部取得ステップにて取得される全ての映像ストリーム情報と、外部取得ステップにて取得する全ての映像ストリーム情報とを同時記録できる記録手段によって記録媒体に記録する記録ステップと、
を計算機に実行させる映像記録方法。
【発明の詳細な説明】
【技術分野】
【０００１】
本発明は、内部取得した映像ストリームと、外部の電子機器から取得した映像ストリームとを同時記録する技術に関する。
【背景技術】
【０００２】
従来、放送番組を録画する映像記録装置において、放送時間帯が重なっている２以上の放送番組の映像ストリームを記録媒体に同時記録するために以下のような装置が広く提供されている。すなわち映像記録装置に放送番組受信用のチューナを２基以上搭載し、そのチューナ数に対応した数の記録制御系を有することで、該２以上の映像ストリームを同時受信させ記録媒体に同時記録する装置である。また上記チューナと記録制御系を２以上搭載した装置以外の方法としては、特許文献１において、複数のユーザーの所有する各々の記録装置をネットワークで接続し、放送時間帯重複などで記録できない放送番組が録画予約されているネットワーク上の別の記録装置を検索し、その別の記録装置が受信、または記録した映像ストリームを別途取得する記録装置の技術も開示されている。
【特許文献１】特開２００５−１２３９０５号公報
【発明の開示】
【発明が解決しようとする課題】
【０００３】
しかし、上記従来広く提供されている映像記録装置は、自身が搭載しているチューナ数以上の映像ストリームを記録することができず、またハードウェア構造的に大きくならざるを得ないチューナの数に比例してその装置構造も大型化してしまう、という課題がある。また、特許文献１で開示されている技術においては、時間帯が重複した２以上の放送番組を記録するためには、ネットワーク上の別のユーザー所有の記録装置の録画予約などを制御する手段がない。したがってその別のユーザー所有の記録装置にて所望の放送番組が録画予約されている必要があり、そこで録画予約されていなければ、いずれの記録装置でも番組の記録を行うことができない。つまり必ずしも重複番組の記録が可能にはなっていない、という課題がある。
【課題を解決するための手段】
【０００４】
図１４に示すのは、従来の映像記録装置と本発明の映像記録装置との差異を説明するための概略図である。この図（ａ）にあるように、従来の映像記録装置は、映像ストリームを取得するためのチューナと、ＨＤＤなどの記録媒体にそのチューナで取得した映像ストリームを記録するためのチップで実現される記録制御系とが対応して搭載されている。一方、図（ｂ）に示すように、本発明の映像記録装置は、外部電子機器から映像ストリームを取得するための入力端子に合わせて、チューナの数以上の記録制御系Ｃをさらに備えていることを特徴としている。
【０００５】
つまり、上記の課題を解決するために、本発明は、家庭内で例えばテレビ装置と映像記録装置とを接続し、映像記録装置に内蔵のチューナと、そのチューナに対応した記録制御系に加え、接続されたテレビ装置など外部の電子機器のチューナで受信した映像ストリームを取得する外部取得部と、その外部取得部に対応した小型のチップなどで実現可能な記録制御系とをさらに有する映像記録装置を提供する。これにより、映像を取得する端子部などとチップとで実現可能な記録制御系を追加するだけで、チューナを追加するのと同様に記録時間が重複などする放送番組の映像ストリームを、従来の家庭内にあるＡＶシステムを構成するテレビ装置などの他の電子機器で受信させ同時記録することが可能になる。つまり構造的に大きくならざるをえない内蔵チューナの増設というハードウェア構造の追加による装置の大型化を伴わなくともすむ、ということである。また、テレビ装置などその他の電子機器は、家庭内ＡＶシステムを構成しているので、特許文献１に開示されている技術と異なり、所望の放送番組が別のユーザーの記録装置において録画予約されているか否か、にその同時録画成立が依存することがない。
【発明の効果】
【０００６】
以上のように、本発明によって従来のＡＶシステムにおける他の電子機器で受信した映像ストリームを取得し、記録媒体に記録することができるので、受信チューナを複数追加することによる装置構造の大型化を伴うことなく放送時間帯が重複する番組の同時記録を行うことが可能になる。
【発明を実施するための最良の形態】
【０００７】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、８，９、１０について説明する。また、実施例２は、主に請求項２について説明する。また、実施例３は、主に請求項３について説明する。また、実施例４は、主に請求項４について説明する。また、実施例５は、主に請求項５、６，７について説明する。
【０００８】
≪実施例１≫    <実施例１の概要>  図１に示すのは、本実施例の映像記録装置を利用した、重複番組の同時記録の一例について説明するための概念図である。この図にあるように、本実施例の映像記録装置（０１００）は受信チューナ（０１０１）を備え、この受信チューナで受信する例えば番組Ａの映像ストリームを、対応する記録制御系Ａを介しＨＤＤ（ハードディスク・ドライブ）などの記録媒体に記録（α）することができる。また、この映像記録装置はモニタ（０１１０）と、出力用映像伝送ケーブル（０１２０ａ）によって接続されており、その番組Ａ（ドラマ）の映像ストリームがこのモニタにて表示可能となっている。
【０００９】
また、このモニタ（０１１０）は従来あるテレビ装置であって、したがって別途チューナ（０１１１）を備えている。そこで本実施例の映像記録装置では、上記番組Ａと放送時間帯が重複する番組Ｂ（スポーツニュース）を同時記録するために、前記番組Ａの映像ストリームのＨＤＤへの記録処理中に、このテレビ装置で受信した番組Ｂの映像ストリームを入力用映像伝送ケーブル（０１２０ｂ）を介し取得し、記録制御系Ｂの制御によってＨＤＤへの記録処理（β）も実行し、放送時間帯が重複している番組Ａと番組ＢのＨＤＤへの同時記録を行う、という具合である。このようにして、他の電子機器のチューナを利用することで、装置構造の大型化を伴うことなく重複番組の同時記録を行うことが可能になる。なお、本明細書では、以下の説明を外部電子機器が一つの場合として説明しているが、当然その外部電子機器の数は一つに限定されるものではない。
【００１０】
<実施例１の構成>  図２に示すのは、本実施例における映像記録装置の機能ブロックの一例を表す図である。この図にあるように、本実施例の「映像記録装置」（０２００）は、「内部取得部」（０２０１）と、「外部取得部」（０２０２）と、「記録部」（０２０３）と、を有している。また、その外部取得部は、「外部の電子機器」（０２１０）と接続されていることを特徴としている。
【００１１】
なお、以下に記載する本装置、および本装置を含むＡＶシステムの機能ブロックは、ハードウェア、ソフトウェア、又はハードウェア及びソフトウェアの両方として実現され得る。具体的には、コンピュータを利用するものであれば、ＣＰＵや主メモリ、バス、あるいはＨＤＤや不揮発性メモリなどの記憶装置、ＣＤ−ＲＯＭやＤＶＤ−ＲＯＭなどの記憶メディア、それらメディアの読取ドライブ、各種通信や印刷機器用の送受信ポート、その他の周辺装置などのハードウェア構成部や、それらハードウェアを制御するためのドライバプログラムやその他アプリケーションプログラム、情報入力に利用されるインターフェースなどが挙げられる。これらハードウェアやソフトウェアは、メモリ上に展開したプログラムをＣＰＵで順次演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置やシステムとして実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１２】
「内部取得部」（０２０１）は、映像ストリーム情報を内部取得するチューナを含む構成をとる。「映像ストリーム情報」とは、映像を表示するための情報をいい、例えば放送波として送信されてくる情報のほか、ＤＶＤなどの記録媒体に記録されている映像ストリーム情報も含まれる。つまり、「内部取得」とは、映像記録装置の内部チューナによる上記放送波に基づく映像ストリーム情報の取得以外にも、例えばＤＶＤなどの記録媒体に記録された映像ストリーム情報の読取取得も含まれる。このように、内部取得部は、例えば放送波を受信するためのアナログ／デジタルチューナや、あるいは記録媒体の読取ドライブなどによってハードウェア的に実現することができる。
【００１３】
「外部取得部」（０２０２）は、「外部の電子機器」（０２１０）から映像ストリーム情報を取得する機能を有する。「外部の電子機器」とは、本実施例の映像記録装置と有線または無線にて接続され、映像ストリーム情報を取得する機能と、その取得した映像ストリーム情報を映像記録装置に出力する機能とを備えた電子機器である。また、その映像ストリーム情報の取得は、前記内部取得部同様放送波の受信チューナであっても良いし、あるいは放送波以外の記録媒体に記録されている映像ストリーム情報を読み出す読取ドライブを備えていても良い。なお、本実施例の映像記録装置では、例えば外部の電子機器の受信チューナにて重複番組を受信させるため、チューナの受信バンドを当該重複番組の放送チャンネルに合わせる、などの制御を行うこともある。したがって、この映像記録装置は、外部の電子機器から映像ストリーム情報を受信するための接続とは別に、制御信号の送受信を行うための接続が行われていても良い。なお「ＨＤＭＩ（登録商標）（ハイ・ディフィニション・マルチメディア・インターフェース）」規格に準ずる伝送路によってこの外部取得部が外部の電子機器と接続されていれば、映像ストリーム情報と制御信号とを１つの伝送路にて伝送することができるので、本実施例の映像記録装置と外部の電子機器とを接続するのに好適である。
【００１４】
また、映像記録装置はこの外部取得部を複数備えており、その数に対応して外部の電子機器を前述のように複数接続できる構成であってもよい。あるいは、外部取得部は１つであるが、外部の電子機器を直列に接続することで映像記録装置は複数の外部電子機器から映像ストリーム情報を取得する構成としても良い。またそれら複数の外部電子機器を制御できる構成としても良い。
【００１５】
「記録部」（０２０３）は、内部取得部（０２０１）にて取得される全ての映像ストリーム情報と、外部取得部（０２０２）にて取得する全ての映像ストリーム情報とを同時記録できる機能を有する。なお、「同時記録」とは、放送時間帯が重複している（同時放送されている）２以上の映像ストリームの記録媒体への同時間帯での記録、という意味である。その具体的な同時記録処理の概要は、書込みバッファを利用した従来の二以上番組同時録画と同様の処理にて行うことが可能であるのでその説明は省略する。また、映像ストリーム情報を記録する記録媒体は、具体的にはＨＤＤ（ハードディスク・ドライブ）などの磁気記録媒体のほか、不揮発性メモリなどの半導体メディアやＤＶＤや次世代ＤＶＤなどの光学記録媒体などさまざまであって構わない。したがって、この記録部は、ハードウェア構成としては、これら記録媒体に対する書込み処理を行う機構によって実現されると良い。
【００１６】
<実施例１のハードウェア構成>  図３に示すのは、本実施例の映像記録装置におけるハードウェア構成の一例を表す概略図である。この図を利用して放送時間帯が重複している番組の記録媒体への同時記録処理におけるそれぞれのハードウェア構成部の働きについて説明する。この図にあるように、映像記録装置は、記録部である「ＣＰＵ（中央演算装置）」（０３０１）と、「主メモリ」（０３０２）と、「書込バッファ」（０３０３）と、「記録手段」（０３０４）と、を備えている。また内部取得部である「チューナ１」（０３０５）とこのチューナに対応する「記録制御系Ａ」（０３０７）、外部取得部である「Ｉ／Ｏ（インプット／アウトプット）１」（０３０６）とこのＩ／Ｏに対応する「記録制御系Ｂ」（０３０８）も備えている。そしてそれらが「システムバス」などのデータ通信経路によって相互に接続され、情報の送受信や処理を行う。
【００１７】
また「主メモリ」は、ＣＰＵにて実行される映像ストリーム同時記録プログラムを読み出すとともに、そのプログラムの作業領域でもあるワーク領域（図示せず）を提供する。また、この「主メモリ」には複数のメモリアドレスが割り当てられており、「ＣＰＵ」で実行される上記プログラムは、そのメモリアドレスを特定しアクセスすることで相互にデータのやりとりを行い、処理を行うことが可能になっている。
【００１８】
また「Ｉ／Ｏ１」は、映像ストリームの伝送経路によって「外部の電子機器」と接続されている。なお、その外部の電子機器は、上記映像ストリームの伝送経路よって映像記録装置のＩ／Ｏ１と接続されている「Ｉ／Ｏ２」（０３１２）と、「チューナ２」（０３１１）と、を備えている。
【００１９】
そして、放送時間帯が重複している２番組の映像ストリームＡと映像ストリームＢをＨＤＤなどの記録媒体に同時記録するために、以下のような処理が各ハードウェア構成部にて実行される。まず、映像記録装置のチューナ１において映像ストリームＡの受信が行われる。また、外部電子機器のチューナ２において映像ストリームＢが受信され、Ｉ／Ｏ２の映像伝送ケーブルを介して映像記録装置のＩ／Ｏ１にその映像ストリームＢが取得される。
【００２０】
すると、その映像ストリームＡやＢの単位データ量、あるいは記録手段における単位時間当りの記録可能容量等のデータが主メモリの所定のメモリアドレスにそれぞれ格納される。そしてそれらデータに基づくＣＰＵの演算処理によって、映像ストリームＡと映像ストリームＢとを記録媒体に同時記録するため、記録媒体に対し両映像ストリーム情報を交互に記録するための記録切替タイミングなどを含む制御信号が生成され、主メモリのメモリアドレスαに格納される。そしてその制御信号で示される記録タイミングに基づいて記録制御系Ａや記録制御系Ｂが制御され、チューナ１で受信した映像ストリームＡと、外部の電子機器から取得した映像ストリームＢとの記録媒体への同時記録処理が記録手段にて実行される、という具合である。
【００２１】
<実施例１の処理の流れ>  図４に示すのは、本実施例の映像記録装置、および外部の電子機器における処理の流れの一例を表すフローチャートである。なお、以下に示すステップは、媒体に記録され計算機を制御するためのプログラムを構成する処理ステップであっても構わない。この図にあるように、まず、映像記録装置において、映像ストリーム情報Ａを内部取得する（ステップＡ０４０１）。また、外部の電子機器にて、その映像ストリーム情報Ａと時間が重複して放送されている番組の映像ストリーム情報Ｂが取得され（ステップＳ０４１１）、その映像ストリーム情報Ｂが映像記録装置に対して出力される（ステップＳ０４１２）。
【００２２】
そして、映像記録装置では、その映像ストリーム情報Ｂを外部取得し（ステップＳ０４０２）、内部取得した映像ストリーム情報Ａと、外部の電子機器より取得した映像ストリーム情報Ｂを記録媒体に同時記録する（ステップＳ０４０３）。
【００２３】
<実施例１の効果の簡単な説明>  以上のように、本実施例の映像記録装置では、通常接続されているテレビ装置などの外部の電子機器を利用して放送時間帯が重複する番組の同時記録を行うことが可能になる。したがって装置構造の大型化を伴う受信チューナの増設を行わずにすむので、装置の小型化を図ることができる。また、それによって資源の無駄を省き、環境に配慮した装置を提供することもできる。
【００２４】
≪実施例２≫    <実施例２の概要>  図５に示すのは、本実施例の映像記録装置を利用した、重複番組の同時記録の一例について説明するための概念図である。この図にあるように、本実施例の映像記録装置（０１００）は予約一覧で示される録画予約に基づいて重複番組の映像ストリームの記録を実行する。また、その際、例えば地上波アナログ／デジタル放送ネットワーク、ＢＳ（ブロードキャスト・サテライト）を利用した放送ネットワーク、あるいはＣＳ（コミュニケーション・サテライト）を利用した放送ネットワークなど、映像記録装置のチューナや外部の電子機器のチューナが受信可能な放送ネットワークに基づいて、その重複番組の録画予約にしたがった録画が実行可能なチューナはどれか、などを判断する機能を有する。例えば予約一覧１の番組（ドラマ）はＢＳで放送される番組なので、このドラマを受信し記録媒体に記録するために、アナログ地上波受信用のチューナを備えた外部の電子機器ではなく、ＢＳ放送波を受信可能なチューナを備える映像記録装置にて受信するよう制御信号を生成する、という具合である。
【００２５】
<実施例２の構成>  図６に示すのは、本実施例における映像記録装置の機能ブロックの一例を表す図である。この図にあるように、本実施例の「映像記録装置」（０６００）は、実施例１を基本として、「内部取得部」（０６０１）と、「外部取得部」（０６０２）と、「記録部」（０６０３）と、を有している。また、その外部取得部は、「外部の電子機器」（０６１０）と接続されている。なお、これら「内部取得部」と、「外部取得部」と、「記録部」と、は実施例１にて既に記載済みであるのでその説明は省略する。そして、本実施例の特徴点は、さらに「録画予約部」（０６０４）と、「判断部」（０６０５）と、「検査部」（０６０６）と、「外部機器制御信号出力部」（０６０７）と、を有している点である。
【００２６】
「録画予約部」（０６０４）とは、放送番組の録画予約を取得し保持する機能を有する。図７に示すのが、録画予約の一例を説明するための概念図である。この図にあるように、録画予約は、その放送ネットワークの種別、受信チャンネル、録画日とその開始時刻および終了時刻、等の情報によって指定される。そして、映像記録装置の内蔵時計が録画日の録画開始時刻を示すと、映像記録装置の内蔵チューナが当該放送ネットワークのチャンネルを受信するようチューニングされ、放送番組の受信、記録が実行される。あるいは外部の電子機器のチューナで当該放送ネットワークのチャンネルを受信するようチューニングするための制御信号が出力され、放送番組の受信、記録が実行される、という具合である。そして、本実施例の映像記録装置では、次の判断部にてこの録画予約に含まれる録画日とその開始時刻および終了時刻で示される録画予約時間が重複しているか否かの判断を行う。また、この録画予約に含まれる放送ネットワークの種別などの情報に基づいて、検査部にてその放送ネットワークで放送される映像ストリームを外部の電子機器は取得可能かの検査を行う。
【００２７】
「判断部」（０６０５）は、録画予約時間が重複して予約番組の一部を内部取得不能か判断する機能を有する。この判断部では、前述のように録画予約部で保持されている、録画予約の番組ごとに録画日とその開始時刻および終了時刻を参照し、その開始時刻と終了時刻で示される時間帯が重複している録画予約番組があるか否か、の判断をＣＰＵの比較演算処理にて実行する。そして、重複番組がないとの判断結果である場合や、映像記録装置に搭載されている内部のチューナ数から重複番組も受信可能である、との判断結果である場合には、従来通りの記録媒体への映像ストリーム情報の記録処理が行われると良い。一方、演算結果が重複している番組があり、映像記録装置の内部受信チューナの搭載数から重複番組のチューナでの取得が不能である、との判断結果である場合には、次の検査部にて、録画予約の放送ネットワーク種別などの情報に基づいて、その放送ネットワークで放送される映像ストリームを外部の電子機器は取得可能かの検査が実行される。
【００２８】
「検査部」（０６０６）は、判断部（０６０５）での判断結果が内部取得不能との判断結果である場合に、外部取得部（０６０２）と接続されている他の電子機器（０６１０）から該当する予約番組の映像ストリーム情報を取得可能か検査する機能を有する。「内部取得不能」とは、放送時間帯が重複する番組がある場合に、その重複番組の数が映像記録装置に搭載されている受信チューナの数以上であることをいう。この検査処理の一例としては、前述のように、地上波アナログ／デジタル放送やＢＳ、ＣＳといった放送ネットワークの種別に基づいて、その放送ネットワークの映像ストリームを受信可能なチューナであるか、を検査する処理が挙げられる。なお、このような検査処理のために、例えば予め外部の電子機器のチューナにて受信可能な放送ネットワークの識別情報を外部電子機器に保持させ、その識別情報に基づいて検査を実行しても良い。また映像記録装置に、その外部電子機器の識別情報とその電子機器で受信可能な放送ネットワークの識別情報とを関連付けたテーブルを保持させることで検査を実行しても良い。あるいは、外部機器のチューナでの受信帯域ごとの受信感度を検査し、その受信感度が閾値以上をとる受信チャンネルを有する放送ネットワークを受信可能な放送ネットワークとして判断する、という具合の検査処理であっても良い。
【００２９】
またその他にも、天候悪化や受信アンテナの設置不備などさまざまな要因で発生するチューナの受信感度低下によって、当該映像ストリームの放送ネットワーク対応チューナであっても受信不能な場合などもあるため、この検査部での検査処理には例えば外部の電子機器に搭載されたチューナの受信感度の検査等も含まれていて良い。あるいは、外部の電子機器の電源が入っているか否かの検査も行い、電源が投入されていない場合は電源をＯＮにする制御信号を出力した後に検査処理を実行する構成であっても良い。また、上記判断部での判断結果や検査部での検査結果によって録画予約の中に記録不能な放送番組がある場合、その旨を示す警告情報を、例えば画面表示や音声出力などによってユーザーに知らせる構成を有していても構わない。また外部の電子機器が複数接続されている場合は、その外部の電子機器から例えば最も受信感度の良い機器を選択する、などの処理が行われても構わない。
【００３０】
また、外部の電子機器が別個に録画（あるいは受信）予約情報を保持している場合、その予約情報の内容を検査する処理を行っても構わない。また、それによって映像記録装置の録画予約部で予約された重複番組の受信を外部電子機器で実行できない場合、その外部電子機器の予約情報を上書きしたり、重複した予約情報がある旨の警告をユーザーに音声や映像デ出力したりする構成をとってもよい。
【００３１】
「外部機器制御信号出力部」（０６０７）は、検査部（０６０６）での検査結果が取得可能との検査結果である場合に他の電子機器に対して録画予約実行のための制御信号を出力する機能を有する。この「制御信号」は、例えば外部の電子機器の電源をその録画開始時刻に投入するための制御信号や、その外部電子機器のチューナの受信チャンネルを録画予約で示される放送ネットワークのチャンネルに合わせるための制御信号などが挙げられる。また、外部の電子機器が例えばバッファ等を備えていれば、場合によってそのバッファに外部電子機器で取得した別の映像ストリームを一時保持させるための制御信号などであっても良い。
【００３２】
<実施例２のハードウェア構成>  図８に示すのは、本実施例の映像記録装置におけるハードウェア構成の一例を表す概略図である。この図を利用して外部の電子機器への制御信号の出力処理におけるそれぞれのハードウェア構成部の働きについて説明する。この図にあるように、映像記録装置は、実施例１同様に記録部である「ＣＰＵ」（０８０１）と、「主メモリ」（０８０２）と、「書込バッファ」（０８０３）と、「記録手段」（０８０４）と、を備えている。また内部取得部である「チューナ１」（０８０５）とこのチューナに対応する「記録制御系Ａ」（０８０７）、外部取得部である「Ｉ／Ｏ１」（０８０６）とこのＩ／Ｏに対応する「記録制御系Ｂ」（０８０８）も備えている。そしてそれらが「システムバス」などのデータ通信経路によって相互に接続され、情報の送受信や処理を行う。
【００３３】
また「Ｉ／Ｏ１」は、映像ストリームの伝送経路によって「外部の電子機器」と接続されている。なお、その外部の電子機器は、上記映像ストリームの伝送経路よって映像記録装置のＩ／Ｏ１と接続されている「Ｉ／Ｏ２」（０８１２）と、「チューナ２」（０８１１）と、を備えている。
【００３４】
そして、まず、判断部での判断処理を実行するため、主メモリの例えばメモリアドレスα２とβ２が特定され、そこに格納されている予約番組Ａの録画時間情報と、メモリアドレスβ２に格納されている予約番組Ｂの録画時間情報との比較演算処理がＣＰＵにて実行される。そして、その比較演算処理により、メモリアドレスα２の録画時間とメモリアドレスβ２の録画時間とが重複する、との判断がなされた場合、つづいて検査部の検査処理が実行される。
【００３５】
そのために、Ｉ／Ｏ１から例えば外部電子機器に保持されているその受信可能放送ネットワークを示す識別情報の取得命令が出力される。外部電子機器ではその取得命令をＩ／Ｏ２にて受信し、その取得命令に従い記録媒体に保持している放送ネットワーク識別情報「ＢＳ（対応機器）」を映像記録装置にＩ／Ｏを介して送信する。そして、映像記録装置ではその取得した受信可能放送ネットワークの識別情報を主メモリのメモリアドレスγに格納し、同じく主メモリのメモリアドレスα１やβ１に格納されている録画予約で示される録画対象の放送ネットワーク識別情報との比較演算処理がＣＰＵにて実行する、という具合である。そして、その識別情報が同一であれば、その外部電子機器から該当する予約番組の映像ストリーム情報を取得可能である、との判断を行う。もちろん、上記検査部の処理は識別情報を取得する処理のほか、前述のように外部電子機器の受信感度を測定するための命令が出力され、その命令に基づく受信感度の測定や受信可能放送ネットワークの特定処理が実行されても構わない。また外部電子機器が複数接続されている場合、Ｉ／Ｏ１１、Ｉ／Ｏ２１、・・・からそれぞれチューナの対応放送ネットワークの識別情報を取得するための命令がそれぞれの接続先の外部電子機器へと出力されると良い。
【００３６】
そして、その判断結果に基づいて、外部の電子機器に対してチューナ２の受信バンドを当該放送ネットワークの受信チャンネル制御させるための制御信号などがＣＰＵの処理により生成されＩ／Ｏ１より電子機器に対して出力される。そして、上記制御信号によって、外部電子機器のチューナ２の受信チャンネルが合わせられ、内蔵時計などで録画時間が来たことを判断すると、実施例１で説明したような各ハードウェア構成部のはたらきにより、記録手段での同時記録処理が実行される、という具合である。
【００３７】
<実施例２の処理の流れ>  図９に示すのは、本実施例の映像記録装置における処理の流れの一例を表すフローチャートである。なお、以下に示すステップは、媒体に記録され計算機を制御するためのプログラムを構成する処理ステップであっても構わない。この図にあるように、まず、映像記録装置において、録画予約情報が取得する（ステップＳ０９０１）と、その録画予約情報で示される録画予約時間と、以前に取得されていた録画予約情報で示される録画予約時間と、が重複して、その予約番組の一部を内部取得不能か判断される（ステップＳ０９０２）。そして、ステップＳ０９０２での判断結果が内部取得不能であるとの判断結果である場合には、例えば外部の電子機器から該当する予約番組の映像ストリーム情報を取得可能か、の検査を行う（ステップＳ０９０３）。もちろん、その検査は前述のとおり予め保持されている外部電子機器のチューナにて受信可能な放送ネットワークの識別情報の取得や、外部電子機器の受信チューナの受信感度測定に基づく受信可能放送ネットワークの判断などさまざまな方法により実施されると良い。そしてその検査結果が取得不能であるとの検査結果である場合には、映像記録装置において録画番組重複対応処理として、例えば警告情報を映像や音声で出力したり、あるいは自動的に予約取得時間の古い方から録画予約情報を削除したりする、などの処理が実行される。
【００３８】
一方、ステップＳ０９０４での検査結果が取得可能であるとの検査結果である場合には、その外部の電子機器に対して録画予約実行のための制御信号を出力する（ステップＳ０９０４）。そして、その制御信号に基づいて、実施例１で説明したような処理により、映像記録装置で内部取得された映像ストリームと、外部電子機器で取得され映像記録装置に外部取得された映像ストリームの記録媒体への同時記録が実行される、という具合である。
【００３９】
<実施例２の効果の簡単な説明>  以上のように、本実施例の映像記録装置によって、録画予約で示される録画予約情報から、自動的に放送時間帯の重複判断や外部機器での受信可能検査等が実行されることになる。したがってユーザーは時間の重複などを気にすることなく、余計な手間をかけず録画予約を行うだけで重複番組の録画を行うことができる。
【００４０】
≪実施例３≫    <実施例３の概要>  実施例３の映像記録装置は、実施例１や２を基本として、外部の電子機器に対して内部取得した映像ストリーム情報を出力する機能を備えている。したがって、この外部電子機器がモニタであれば、その出力した映像ストリーム情報に基づく映像をそのモニタのディスプレイ上に表示などさせることができる。
【００４１】
<実施例３の構成>  図１０に示すのは、本実施例における映像記録装置の機能ブロックの一例を表す図である。この図にあるように、本実施例の「映像記録装置」（１０００）は、実施例１を基本として、「内部取得部」（１００１）と、「外部取得部」（１００２）と、「記録部」（１００３）と、を有している。また、その外部取得部は、「外部の電子機器」（１０１０）と接続されている。なお、これら「内部取得部」と、「外部取得部」と、「記録部」と、は実施例１にて既に記載済みであるのでその説明は省略する。また、図示していないが、本実施例の映像記録装置は実施例２を基本として「録画予約部」と、「判断部」と、「検査部」と、「外部機器制御信号出力部」と、を有していても構わない。そして、本実施例の特徴点は、「外部出力部」（１００４）、をさらに有している点である。
【００４２】
「外部出力部」（１００４）は、内部取得部（１００１）にて取得した映像ストリーム情報を外部出力する機能を有する。したがってこの外部出力部は、映像伝送経路によって外部の電子機器（１０１０）と接続されている。なお、その外部の電子機器が例えばアナログディスプレイであれば、この外部出力部には符号化されている映像ストリーム情報をアナログ信号に変換する「ＤＡＣ（デジタル／アナログ・コンバータ）」を備えていると良い。またデジタルディスプレイであれば前述のＨＤＭＩ（登録商標）規格に準ずる映像伝送ケーブルによってその接続が行われても良い。なお、このＨＤＭＩ（登録商標）規格においては、その映像ストリームの入出力において暗号化および復号化という複雑な処理が行われるため、通常入力系統（外部取得部）と出力系統（外部出力部）で別個に外部電子機器と接続されていることが望ましい。
【００４３】
<実施例３の効果の簡単な説明>  以上のように、本実施例の映像記録装置によって、映像ストリーム情報を外部の電子機器に出力することができる。したがって、外部の電子機器としてその出力映像ストリーム情報を表示するモニタとなるテレビ装置を接続することができ、したがって本実施例の電子機器によって通常の家庭内ＡＶシステムを構築し、その上で重複番組の同時録画を実行することができる。
【００４４】
≪実施例４≫    <実施例４の概要>  本実施例は、実施例３の映像記録装置とテレビ装置とからなるＡＶシステムである。このＡＶシステムによって、ユーザーは従来の一般的なＡＶシステムと同様、映像記録装置で内部取得した映像ストリームを記録媒体に記録しつつテレビ装置のディスプレイでその映像ストリームによる映像を確認することができるとともに、そのテレビ装置のチューナで受信した別の映像ストリームを記録媒体に同時記録することができる。
【００４５】
<実施例４の構成>  図１１に示すのは、本実施例におけるＡＶシステムの機能ブロックの一例を表す図である。この図にあるように、本実施例のＡＶシステムは「映像記録装置」（１１００）と「テレビ装置」（１１１０）と、からなっている。そして映像記録装置は、実施例３を基本として、「内部取得部」（１１０１）と、「外部取得部」（１１０２）と、「記録部」（１１０３）と、「外部出力部」（１１０４）と、を有している。また、テレビ装置に対する制御信号を出力するための「外部機器制御信号出力部」（１１０５）もさらに有している。なお、これら「内部取得部」と、「外部取得部」と、「記録部」と、「外部出力部」（１１０４）と、「外部機器制御信号出力部」（１１０５）は、実施例１や２、３にて既に記載済みであるのでその説明は省略する。また、図示していないが、本実施例の映像記録装置はその他にも「録画予約部」と、「判断部」と、「検査部」と、「外部機器制御信号出力部」と、を有していても構わない。
【００４６】
そして、本実施例のテレビ装置は、「映像表示部」（１１１１）と、「テレビチューナ」（１１１２）と、「テレビ出力部」（１１１３）と、「制御部」（１１１４）と、を有している。以下、このＡＶシステムを構成するテレビ装置について説明する。
【００４７】
「映像表示部」（１１１１）は、映像記録装置の外部出力部（１１１４）から出力される映像ストリーム情報を取得して表示する機能を有する。この映像表示部は、映像ストリーム情報を復号化する手段や、その復号化された情報に基づく映像を表示するためのディスプレイなどで実現されると良い。またそのディスプレイはＣＲＴ（ブラウン管）方式のディスプレイや、液晶パネルディスプレイ、プラズマディスプレイ、有機ＥＬ（エレクトロ・ルミネッセンス）ディスプレイ、リアプロジェクション方式のディスプレイなどさまざまであって良い。
【００４８】
「テレビチューナ」（１１１２）は、テレビ放送波を受信する機能を有するチューナである。もちろん、テレビ放送波とは、地上アナログ／デジタル放送波、ＢＳアナログ／デジタル放送波、ＣＳアナログ／デジタル放送波、インターネット放送によるインターネット網を介したデータなどさまざまであって良く、また有線放送、無線放送の別も問わない。
【００４９】
「テレビ出力部」（１１１３）は、テレビチューナ（１１１２）にて取得した映像ストリーム情報を映像記録装置の外部取得部（１１０２）に対して出力する機能を有する。このテレビ出力部は、実施例１や２などで説明したように、映像記録装置からの制御信号に従い、所定のタイミングなどでテレビチューナにて受信した映像ストリーム情報Ｂを映像記録装置に対して出力する。
【００５０】
「制御部」（１１１４）は、映像記録装置の外部機器制御信号出力部（１１０５）から出力される制御信号を取得して映像ストリーム情報に関する制御を実行する機能を有する。この制御部による「映像ストリーム情報に関する制御」とは、例えば録画予約に基づく制御信号に従い、録画番組の受信チャンネルにテレビチューナの受信バンドを合わせるよう実行される制御が挙げられる。あるいは、重複番組を映像記録装置にて同時記録できない場合には外部電子機器に記録手段を備えるものがあれば、その電子機器にて記録を行うような制御が行われても良い。そしてそれら制御部での制御信号に基づく制御によって、映像記録装置で同時記録するための、外部電子機器における重複番組の映像ストリーム情報の取得、出力が実行される。
【００５１】
<実施例４の処理の流れ>  図１２に示すのは、本実施例の映像記録装置、および外部の電子機器における処理の流れの一例を表すフローチャートである。なお、以下に示すステップは、媒体に記録され計算機を制御するためのプログラムを構成する処理ステップであっても構わない。この図にあるように、まず、映像記録装置において、映像ストリーム情報Ａを内部取得し（ステップＳ１２０１）、その映像ストリーム情報Ａを外部のテレビ装置に対して出力する（ステップＳ１２０２）。外部のテレビ装置ではその出力された映像ストリーム情報Ａを取得し、それをディスプレイなどに表示する（ステップＳ１２１１）。
【００５２】
また、それとともに映像記録装置から外部の電子機器に対して、例えばテレビチューナの受信チャンネルの調整などの制御信号が出力される（ステップＳ１２０３）。テレビ装置ではその制御信号に基づいてテレビチューナの受信チャンネル調整などが行われ、映像ストリーム情報Ａと時間が重複して放送されている番組の映像ストリーム情報Ｂが取得される（ステップＳ１２１２）。そして、その映像ストリーム情報Ｂが映像記録装置に対して出力される（ステップＳ１２１３）。
【００５３】
そして、映像記録装置では、その映像ストリーム情報Ｂを外部取得し（ステップＳ１２０４０２）、内部取得した映像ストリーム情報Ａと、テレビ装置から外部取得した映像ストリーム情報Ｂを記録媒体に同時記録する（ステップＳ１２０５）。
【００５４】
<実施例４の効果の簡単な説明>  以上のように、本実施例のＡＶシステムによって、映像記録装置とモニタであるテレビ装置という従来のＡＶシステムと同様の構成にて、その制御信号の出力やその制御信号に基づくハードウェア構成の制御といったソフトウェア上の追加によって、簡単に重複番組の映像ストリームの同時記録を行うことができる。
【００５５】
≪実施例５≫    <実施例５の概要>  本実施例は、実施例１から３のいずれかの映像記録装置を基本として、その外部の電子機器との接続においてＨＤＭＩ（登録商標）規格に準じて接続されることを特徴としている。また、ＨＤＭＩ規格の特性から、映像記録装置、および外部の電子機器のＨＤＭＩ端子がそれぞれ二組からなることも特徴としている。
【００５６】
<実施例５の構成>  図１３に示すのは、本実施例の映像記録装置、および外部電子機器における機能ブロックの一例を表す図である。この図にあるように、本実施例の「映像記録装置」（１３００）は、前記外部との映像ストリーム情報及び場合により制御信号の入出力をするためのＨＤＭＩ（登録商標）端子部（１３０１ａ、１３０１ｂ）を有することを特徴としている。前述のように、ＨＤＭＩ規格に準ずる伝送ケーブルは、外部取得部（図示省略）での映像ストリーム情報の取得と、外部機器制御信号出力部（図示省略）での制御信号とを１つの伝送ケーブルにて送受信することができるので外部の電子機器と接続に際してその接続や取り回しが容易となり、本実施例の映像記録装置における外部機器との接続において好適である。もちろん、映像記録装置に複数の外部電子機器が接続されている場合は、その数に合わせたＨＤＭＩ端子が必要となる。なお、「制御信号の出力を行う場合」とは、例えば外部取得の必要がある場合が挙げられる。
【００５７】
また、図に示すように、本実施例の映像記録装置における「ＨＤＭＩ（登録商標）端子部」は、映像ストリーム情報の入出力のために二組以上のＨＤＭＩ（登録商標）端子を含むと良い。これは、前述のとおり、ＨＤＭＩ（登録商標）規格では、その映像ストリームの入出力において暗号化および復号化という複雑な処理が行われるため、通常入力系統（外部取得部）と出力系統（外部出力部）で別個に外部電子機器と接続されていることが望ましいからである。また、そのため、テレビ装置などの外部の電子機器においても、ＨＤＭＩ（登録商標）端子を二組以上有することが望ましい。
【００５８】
<実施例５の効果の簡単な説明>  以上のように本実施例の映像記録装置、及び電子機器によって、その接続をＨＤＭＩ規格に準ずる伝送ケーブルで接続することができる。したがって、その接続において入出力２系統分の伝送ケーブルだけで接続することができるので、その接続や取り回しが容易となる。
【図面の簡単な説明】
【００５９】
【図１】実施例１の映像記録装置を利用した、重複番組の同時記録の一例について説明するための概念図
【図２】実施例１における映像記録装置の機能ブロックの一例を表す図
【図３】実施例１の映像記録装置におけるハードウェア構成の一例を表す概略図
【図４】実施例１の映像記録装置、および外部の電子機器における処理の流れの一例を表すフローチャート
【図５】実施例２の映像記録装置を利用した、重複番組の同時記録の一例について説明するための概念図
【図６】実施例２における映像記録装置の機能ブロックの一例を表す図
【図７】実施例２の映像記録装置の録画予約部にて取得、保持される録画予約の一例を説明するための概念図
【図８】実施例２の映像記録装置におけるハードウェア構成の一例を表す概略図
【図９】実施例２の映像記録装置における処理の流れの一例を表すフローチャート
【図１０】実施例３における映像記録装置の機能ブロックの一例を表す図
【図１１】実施例４におけるＡＶシステムの機能ブロックの一例を表す図
【図１２】実施例４の映像記録装置における処理の流れの一例を表すフローチャート
【図１３】実施例５の映像記録装置、および外部電子機器における機能ブロックの一例を表す図
【図１４】従来と本発明の差異を説明するための映像記録装置の概略図
【符号の説明】
【００６０】
０２００  映像記録装置
０２０１  内部取得部
０２０２  外部取得部
０２０３  記録部
１１０４  外部出力部
１１０５  外部機器制御信号出力部
１１１０  テレビ装置
１１１１  映像表示部
１１１２  テレビチューナ
１１１３  テレビ出力部
１１１４  制御部
【図１】
2007129334.tif 000003
【図２】
2007129334.tif 000004
【図３】
2007129334.tif 000005
【図４】
2007129334.tif 000006
【図５】
2007129334.tif 000007
【図６】
2007129334.tif 000008
【図７】
2007129334.tif 000009
【図８】
2007129334.tif 000010
【図９】
2007129334.tif 000011
【図１０】
2007129334.tif 000012
【図１１】
2007129334.tif 000013
【図１２】
2007129334.tif 000014
【図１３】
2007129334.tif 000015
【図１４】
2007129334.tif 000016